(57)【要約】【課題】装置の設定の変更を確実に行う手段を提供する。【解決手段】回線から受信した信号に基づいて動作する通信端末装置において、外付電話機のフックアップを検出する検出部と、複数のモードを設定可能なモード設定部と、前記モード設定部に設定されたモードに基づいて動作を制御する制御部と、を有し、前記制御部は、前記回線からの信号を待機している状態で、前記検出部で前記フックアップを検出すると、前記モード設定部に設定されたモードを切り替える。【選択図】        図２
2017195508.tif 000002
【特許請求の範囲】
【請求項１】
回線から受信した信号に基づいて動作する通信端末装置において、
外付電話機のフックアップを検出する検出部と、
複数のモードを設定可能なモード設定部と、
前記モード設定部に設定されたモードに基づいて動作を制御する制御部と、
を有し、
前記制御部は、前記回線からの信号を待機している状態で、前記検出部で前記フックアップを検出すると、前記モード設定部に設定されたモードを切り替えることを特徴とする通信端末装置。
【請求項２】
請求項１に記載の通信端末装置において、
前記複数のモードは、
ファクシミリ信号の受信を待機する第１のモードと、
電話信号またはフファクシミリ信号の受信を待機する第２のモードと、
を含み、
前記制御部は、前記第１のモードにおいて前記回線からの信号を待機している状態で、前記検出部で前記フックアップを検出すると、前記モード設定部に設定された前記第１のモードを前記第２のモードに切り替えることを特徴とする通信端末装置。
【請求項３】
請求項１または請求項２に記載の通信端末装置において、
操作を誘導する表示を行う表示部と、
操作を受付ける操作部と、
を有し、
前記制御部は、前記第１のモードにおいて前記回線からの信号を待機している状態で、前記検出部で前記フックアップを検出すると、前記表示部にモードを切り替えることを表示し、前記操作部で受付けた操作に基づいて前記モードを切り替えることを特徴とする通信端末装置。
【請求項４】
請求項１から請求項３のいずれかに記載の通信端末装置において、
前記モード設定部は、前記モード設定部に設定されたモードの切り替え可否の設定を可能とし、
前記制御部は、前記可否の設定が可である場合、前記モード設定部に設定されたモードを切り替えることを特徴とする通信端末装置。
【発明の詳細な説明】
【技術分野】
【０００１】
本発明は、ファクシミリ通信機能を有する通信端末装置に関する。
【背景技術】
【０００２】
従来の通信端末装置は、回線からの信号に応じて装置の設定を切り替えるようにしているものがあり、例えば手動受信モードに設定されている場合に、リンギング信号を検出して外部に接続された電話機または内蔵電話機がフックアップされないままで回線からのリンギング信号が検出されなくなった後に、リンギング信号を再度検出した場合に１回に限って自動受信動作を行い、その後は手動受信モードに戻すようにしているものがある（例えば、特許文献１参照）。
【先行技術文献】
【特許文献】
【０００３】
【特許文献１】特開２００１−８６２６４号公報
【発明の概要】
【発明が解決しようとする課題】
【０００４】
しかしながら、従来の技術においては、装置の設定状態によっては回線からの信号で設定を変更することができず、通信障害となってしまうという問題がある。
本発明は、このような問題を解決することを課題とし、装置の設定の変更を確実に行うことができるようにすることを目的とする。
【課題を解決するための手段】
【０００５】
そのため、本発明は、回線から受信した信号に基づいて動作する通信端末装置において、外付電話機のフックアップを検出する検出部と、複数のモードを設定可能なモード設定部と、前記モード設定部に設定されたモードに基づいて動作を制御する制御部と、を有し、前記制御部は、前記回線からの信号を待機している状態で、前記検出部で前記フックアップを検出すると、前記モード設定部に設定されたモードを切り替えることを特徴とする。
【発明の効果】
【０００６】
このようにした本発明は、装置の設定の変更を確実に行うことができるという効果が得られる。
【図面の簡単な説明】
【０００７】
【図１】実施例における通信端末装置の構成を示すブロック図
【図２】実施例における通信端末装置の制御構成を示すブロック図
【図３】実施例における自動受信モードの動作のタイムチャート
【図４】実施例におけるＲＬ１オン時の直流ループ形成状態の説明図
【図５】実施例における自動受信モードからＴＥＬ／ＦＡＸ自動切換えモードへ切替時の動作のタイムチャート
【図６】実施例における外付電話のフックアップ時の直流ループ形成状態の説明図
【図７】実施例におけるＴＥＬ／ＦＡＸ自動切換えモードでのＦＡＸ受信の動作のタイムチャート
【図８】実施例における外付電話のフックアップ前の直流ループ形成状態の説明図
【図９】実施例におけるＴＥＬ／ＦＡＸ自動切換えモードでフックアップ時の動作のタイムチャート
【発明を実施するための形態】
【０００８】
以下、図面を参照して本発明による通信端末装置の実施例を説明する。
【実施例】
【０００９】
図１は実施例における通信端末装置の構成を示すブロック図である。
図１において、通信端末装置１は、例えばファクシミリ装置であり、回線としての公衆電話回線網等の回線網２と接続され、回線から受信した信号に基づいて行う動作として音声通話やファクシミリ通信を行うものである。
【００１０】
通信端末装置１は、回線制御部１０３と、スキャナ部１０４と、印刷部１０５と、回線端子１０７と、電話端子１０８と、音声発生部１１１とを有している。
【００１１】
回線端子１０７は、回線網２と接続され、また回線制御部１０３と接続されている。
電話端子１０８は、回線網２を介して音声通話を行う電話機である外付電話機３と接続され、また回線制御部１０３と接続されている。
回線制御部１０３は、スキャナ部１０４および印刷部１０５と接続され、スキャナ部１０４から受け取った原稿の画像データを回線網２へ送信するファクシミリ送信や回線網２からファクシミリ受信した画像データを印刷部１０５へ通知するものである。
【００１２】
また、回線制御部１０３は、回線網２との間で音声通話信号の送受信を行い、受信した音声通話信号を、電話端子１０８を介して接続された外付電話機３へ通知し、また外付電話機３から通知された音声通話信号を回線網２へ送信する。
スキャナ部１０４は、原稿の画像の読取り、画像データを生成し、生成した画像データを回線制御部１０３に通知するものである。また、スキャナ部１０４は、操作部１０９と、表示部１１０とを有し、印刷部１０５と接続されている。
【００１３】
操作部１０９は、ユーザの入力操作を受付けるものであり、例えばタッチパネルや操作キー等により構成されたものである。
表示部１１０は、各種情報の表示や操作を誘導する表示を行うものであり、ディスプレイ等により構成されたものである。
【００１４】
スキャナ部１０４で読み取られた原稿の画像データは、回線制御部１０３を通じて回線網２に接続された送信先の通信端末装置にファクシミリの画像データとして送信される。また、コピー機能としてスキャナ部１０４で読み取られた原稿の画像データは、印刷部１０５に送られ、印刷部１０５で印刷媒体に印刷される。
【００１５】
印刷部１０５は、回線制御部１０３から送られたファクシミリの画像データまたはスキャナ部１０４から送られた画像データに基づいて印刷媒体に画像を形成して印刷を行うものである。
音声発生部１１１は、音声（音）を発生し、ユーザに音声（音）の通知を行うものである。
【００１６】
図２は実施例における通信端末装置の制御構成を示すブロック図である。
図２において、通信端末装置１は、回線制御部１０３と、スキャナ部１０４と、回線端子１０７と、電話端子１０８と、音声発生部１１１とを有している。
【００１７】
回線制御部１０３は、通信制御部２０１と、モデム２１０と、シリコンＤＡＡ（データアクセスアレンジメント）２３０と、直流ループ形成部２４０と、外付電話フックアップ検出部２８０とを有している。
【００１８】
通信制御部２０１は、回線制御部１０３全体を制御するものであり、ＦＡＸモード設定部２０２と、リング検出判断部２０３と、直流ループ形成指示部２０４と、直流ループ形成判断部２０５と、ＲＬ１制御部２０６と、外付電話フックアップ判断部２０７と、ＣＮＧ検出部２０８と、疑似リングバックトーン送出部２０９とを有している。
【００１９】
制御部としての通信制御部２０１は、ＦＡＸモード設定部２０２に設定されたモードとしての動作モードに基づいて動作を制御する。
【００２０】
モード設定部としてのＦＡＸモード設定部２０２は、外付電話フックアップ判断部２０７およびスキャナ部１０４の操作部１０９と接続され、ファクシミリ（以下、「ＦＡＸ」、または「ファックス」という。）の複数の動作モード（以下、「ＦＡＸモード」という。）の設定を可能にするものである。通信制御部２０１は、ＦＡＸモード設定部２０２に設定されているＦＡＸモードにしたがって回線制御部１０３の動作を制御する。
【００２１】
ＦＡＸモードとして、例えばＦＡＸの受信を待機する第１のモードとしての自動受信モード（ファックス待機）やＦＡＸまたはＴＥＬ（電話）の受信を待機する第２のモードとしてのＴＥＬ／ＦＡＸ自動切換えモード（電話／ファックス待機）等のモードがある。
【００２２】
リング検出判断部２０３は、モデム２１０内の制御Ｉ／Ｆ２１１と接続され、回線端子１０７を介して回線から到来するリング信号としてシリコンＤＡＡ２３０内のリング検出部２３２が受けたリング信号に基づいてリング信号を検出したか否かを判断するものである。
【００２３】
直流ループ形成指示部２０４は、モデム２１０内の制御Ｉ／Ｆ２１１と接続され、直流ループ形成部２４０に回線の直流ループの形成を指示するものである。
直流ループ形成判断部２０５は、モデム２１０内の制御Ｉ／Ｆ２１１と接続され、直流ループ形成部２４０が直流を保持したか否かを判断するものである。
【００２４】
ＲＬ１制御部２０６は、リレーＲＬ１（２５０）と接続され、リレーＲＬ１（２５０）の動作を制御するものである。
外付電話フックアップ判断部２０７は、外付電話フックアップ検出部２８０と接続され、外付電話フックアップ検出部２８０の出力を所定時間監視し、外付電話機３がフックアップされたか否かを判断するものである。
【００２５】
ＣＮＧ検出部２０８は、モデム２１０内の制御Ｉ／Ｆ２１１と接続され、回線端子１０７を介して回線からのＣＮＧ信号（１１００Ｈｚ）の信号の到来を検出するものである。
疑似リングバックトーン送出部２０９は、モデム２１０内の制御Ｉ／Ｆ２１１と接続され、回線端子１０７を介して回線に疑似リングバックトーンを送出するものである。
【００２６】
モデム２１０は、回線端子１０７を介して回線から受けた信号を通信制御部２０１で処理可能な信号に変換して通信制御部２０１へ出力し、また通信制御部２０１から入力した信号を、回線端子１０７を介して回線へ送出できる信号に変換して当該回線に出力するものである。このモデム２１０は、制御Ｉ／Ｆ２１１と、Ｉ／Ｆ２１２とを有している。
【００２７】
制御Ｉ／Ｆ２１１は、通信制御部２０１とモデム２１０との間で信号の入出力を行うインターフェースである。また、制御Ｉ／Ｆ２１１は、モデム２１０からの信号を通信制御部２０１で判別可能な信号に変換する。
Ｉ／Ｆ２１２は、制御Ｉ／Ｆ２１１と絶縁受渡部２２０とに接続され、モデム２１０とシリコンＤＡＡ２３０との間で信号の入出力を行うインターフェースである。
【００２８】
絶縁受渡部２２０は、回線端子１０７を介して接続された回線の１次側と２次側とを分離するものであり、シリコンＤＡＡ２３０内のＩ／Ｆ２３１と接続される。
【００２９】
シリコンＤＡＡ２３０は、回線とモデム２１０との間に接続され、回線への信号の送出や回線からの信号の受信を行うものであり、Ｉ／Ｆ２３１とリング検出部２３２とを有する一般的な構成を有するものである。
シリコンＤＡＡ２３０内のＩ／Ｆ２３１は、リング検出部２３２および直流ループ形成部２４０と接続されている。このＩ／Ｆ２３１は、回線からの信号をモデム２１０へ伝え、モデム２１０からの信号を回線へ送出するインターフェースである。
【００３０】
リング検出部２３２は、絶縁受渡部２７０に接続されている。このリング検出部２３２は、回線から到来するリング信号を受けてモデム２１０を経由してリング検出判断部２０３へ伝えるインターフェースである。
【００３１】
直流ループ形成部２４０は、ダイオードブリッジ２６０の（＋）と、ダイオードブリッジ２６０の（−）と、シリコンＤＡＡ２３０のグランドとに接続され、回線の直流を保持するものである。ダイオードブリッジ２６０の交流入力側Ａおよび交流入力側Ｂは、回線端子１０７と絶縁受渡部２７０とリレーＲＬ１（２５０）とに接続されている。直流ループ形成部２４０は、例えば接点を接続することにより直流ループを形成し、接点を接断することにより直流ループを解除する。
【００３２】
ダイオードブリッジ２６０は、回線の直流の極性を直流ループ形成部２４０に合わせるものであり、回線の直流の極性が反転してもしなくても直流ループ形成部２４０に一方向の直流を供給する。
絶縁受渡部２７０は、回線からの直流成分をカットし、リング検出部２３２に交流成分のみを供給し、リング検出部２３２にリング信号を検出させるものである。
【００３３】
リレーＲＬ１（２５０）は、電話端子１０８を介して外付電話機３に接続され、また外付電話フックアップ検出部２８０に接続されている。通信端末装置１が待機状態の場合、リレーＲＬ１（２５０）は、本図に示すように接点を接続した状態でユーザによる外付電話機３の使用が可能になる。一方、回線を使用して通信を行う場合、リレーＲＬ１（２５０）は、接点を切断し、外付電話機３の送話機からのノイズ等がシリコンＤＡＡ２３０を通じてモデム２１０に入らないように動作させるものである。
【００３４】
検出部としての外付電話フックアップ検出部２８０は、電話端子１０８を介して外付電話機３と接続され、外付電話機３がフックアップ（オフフック）されることにより流れる電流を検知し、外付電話機３がフックアップされているか否かを検出するものである。
【００３５】
回線端子１０７は、回線と接続され、通信ケーブルの差込口である。
電話端子１０８は、外付電話機３および外付電話フックアップ検出部２８０と接続され、通信ケーブルの差込口である。
【００３６】
このように構成された通信端末装置１の回線制御部１０３は、回線からの信号を待機している状態で、外付電話フックアップ検出部２８０で外付電話機３のフックアップを検出すると、ＦＡＸモード設定部２０２に設定されたモードを切り替える。
【００３７】
さらに、具体的には、通信端末装置１の回線制御部１０３は、複数のモードとして、ファクシミリ信号の受信を待機する第１のモードと、電話信号またはファクシミリ信号の受信を待機する第２のモードとを含み、その第１のモードにおいて回線からの信号を待機している状態で、フックアップ検出部２８０でフックアップを検出すると、ＦＡＸモード設定部２０２に設定された第１のモードを第２のモードに切り替える。
【００３８】
上述した構成の作用について説明する。
まず、通信端末装置のＦＡＸモードが自動受信モード（ファックス待機）である場合に、通信端末装置が行うＦＡＸ受信動作を図３の実施例における自動受信モードの動作のタイムチャートの図中Ｔで表すタイミングに従って図２を参照しながら説明する。
【００３９】
Ｔ１：回線端子１０７を介して回線からリング信号が到来し、シリコンＤＡＡ２３０内のリング検出部２３２にリング信号が入力される。リング検出部２３２は、入力されたリング信号を検出する。
【００４０】
Ｔ２：リング信号を検出したリング検出部２３２は、通信制御部２０１内のリング検出判断部２０３に信号を出力する。リング検出判断部２０３は、リング検出部２３２から出力された信号に基づいて回線からリング信号が到来したか否かを判断する。ここで、リング検出判断部２０３は、リング信号が到来したと判断する。
【００４１】
Ｔ３：リング検出判断部２０３は、リング信号が到来したと判断すると、通信制御部２０１内の直流ループ形成指示部２０４は、モデム２１０の制御Ｉ／Ｆ２１１およびＩ／Ｆ２１２、絶縁受渡部２２０、並びにシリコンＤＡＡ２３０のＩ／Ｆ２３１を介して直流ループ形成部２４０に直流ループの形成を指示する信号を出力する。
【００４２】
Ｔ４：直流ループの形成を指示する信号を入力した直流ループ形成部２４０は、回線の直流を保持して直流ループを形成する。
【００４３】
Ｔ５：直流ループ形成部２４０は、直流ループを形成すると、シリコンＤＡＡ２３０のＩ／Ｆ２３１、絶縁受渡部２２０、並びにモデム２１０の制御Ｉ／Ｆ２１１およびＩ／Ｆ２１２を介して直流ループを形成した旨を通信制御部２０１内の直流ループ形成判断部２０５に通知する信号を出力する。
【００４４】
直流ループ形成判断部２０５は、直流ループ形成部２４０から出力された信号を入力し、直流ループ形成部２４０が直流ループを形成したと判断する。
【００４５】
Ｔ６：直流ループ形成部２４０が直流ループを形成したと判断すると、ＲＬ１制御部２０６は、リレーＲＬ１（２５０）に対してリレーＲＬ１（２５０）を動作させるＯＮ信号を出力する。
【００４６】
Ｔ７：ＯＮ信号を入力したリレーＲＬ１（２５０）は、リレーを切り替え、図４に示すように、直流ループを形成した状態で外付電話機３を回線制御部１０３から切り離す。
【００４７】
外付電話機３を回線制御部１０３から切り離した後、通信端末装置１はＦＡＸ受信動作となる。回線制御部１０３は回線網２からＦＡＸ受信した画像データを図１に示す印刷部１０５へ通知し、印刷部１０５は画像データに基づいて印刷を行う。
【００４８】
次に、通信端末装置のＦＡＸモードを自動受信モード（ファックス待機）からＴＥＬ／ＦＡＸ自動切換えモード（電話／ファックス待機）に切り替える場合に、通信端末装置が行う動作を図５の実施例における自動受信モードからＴＥＬ／ＦＡＸ自動切換えモードへ切替時の動作のタイムチャートの図中Ｔで表すタイミングに従って図２を参照しながら説明する。
【００４９】
Ｔ１１：自動受信モード（ファックス待機）において、ユーザが外付電話機３をフックアップするものとする。
このときの直流ループの状態は、図６に示すように、直流ループが形成されている状態となっている。
【００５０】
外付電話フックアップ検出部２８０は、外付電話機３のフックアップを検出し、通信制御部２０１内の外付電話フックアップ判断部２０７に信号を出力する。
【００５１】
Ｔ１２：外付電話フックアップ判断部２０７は、外付電話フックアップ検出部２８０から出力された信号を所定時間監視し、外付電話機３がフックアップされたか否かを判断し、フックアップされたと判断する。
【００５２】
Ｔ１３：フックアップされたと判断した外付電話フックアップ判断部２０７は、スキャナ部１０４の表示部１１０に、ユーザに対してＦＡＸモードをＴＥＬ／ＦＡＸ自動切換えモードに切り替えるか否かを選択させる表示を行う。
【００５３】
Ｔ１４：スキャナ部１０４の操作部１０９は、ユーザの選択操作を受け付ける。ここで、ユーザは、ＦＡＸモードをＴＥＬ／ＦＡＸ自動切換えモードに切り替える選択操作を行うものとし、操作部１０９はＴＥＬ／ＦＡＸ自動切換えモードに切り替える選択操作を受け付ける。
【００５４】
Ｔ１５：操作部１０９がＴＥＬ／ＦＡＸ自動切換えモードに切り替える選択操作を受け付けると、ＦＡＸモード設定部２０２は、ＦＡＸモードの設定を行い、ＦＡＸモードを自動受信モード（ファックス待機）からＴＥＬ／ＦＡＸ自動切換えモード（電話／ファックス待機）に切り替える。
【００５５】
なお、通信端末装置１は、外付電話機３を電話端子１０８に接続しただけでは外付電話機３が接続されたことを検出することはできない。これは、外付電話フックアップ検出部２８０に所定の電流が流れないと外付電話フックアップ検出部２８０が動作しないためであり、必ず外付電話機３のフックアップが必要となるためである。
【００５６】
また、本実施例では、ＦＡＸモードを自動受信モード（ファックス待機）において回線からの信号を待機している状態で、外付電話フックアップ検出部２８０でフックアップを検出すると、表示部１１０にモードを切り替えることを表示し、操作部１０９で受付けた操作に基づいてＦＡＸモードを自動受信モード（ファックス待機）からＴＥＬ／ＦＡＸ自動切換えモード（電話／ファックス待機）に切り替えるようにしたが、操作部１０９で操作を受付けることなく、自動的にＴＥＬ／ＦＡＸ自動切換えモード（電話／ファックス待機）に切り替えるようにしても良い。
【００５７】
次に、通信端末装置のＦＡＸモードがＴＥＬ／ＦＡＸ自動切換えモード（電話／ファックス待機）である場合に、通信端末装置がＣＮＧ信号（１１００Ｈｚ）を検出してＦＡＸを受信する動作を図７の実施例におけるＴＥＬ／ＦＡＸ自動切換えモードでのＦＡＸ受信の動作のタイムチャートの図中Ｔで表すタイミングに従って図２を参照しながら説明する。
【００５８】
Ｔ２１：回線端子１０７を介して回線からリング信号が到来し、シリコンＤＡＡ２３０内のリング検出部２３２にリング信号が入力される。リング検出部２３２は、入力されたリング信号を検出する。
【００５９】
Ｔ２２：リング信号を検出したリング検出部２３２は、通信制御部２０１内のリング検出判断部２０３に信号を出力する。リング検出判断部２０３は、リング検出部２３２から出力された信号に基づいて回線からリング信号が到来したか否かを判断する。ここで、リング検出判断部２０３は、リング信号が到来したと判断する。
【００６０】
Ｔ２３：リング検出判断部２０３がリング信号が到来したと判断すると、通信制御部２０１内の直流ループ形成指示部２０４は、モデム２１０の制御Ｉ／Ｆ２１１およびＩ／Ｆ２１２、絶縁受渡部２２０、並びにシリコンＤＡＡ２３０のＩ／Ｆ２３１を介して直流ループ形成部２４０に直流ループの形成を指示する信号を出力する。
【００６１】
Ｔ２４：直流ループの形成を指示する信号を入力した直流ループ形成部２４０は、回線の直流を保持して直流ループを形成する。
【００６２】
Ｔ２５：直流ループ形成部２４０は、直流ループを形成すると、シリコンＤＡＡ２３０のＩ／Ｆ２３１、絶縁受渡部２２０、並びにモデム２１０の制御Ｉ／Ｆ２１１およびＩ／Ｆ２１２を介して直流ループを形成した旨を通信制御部２０１内の直流ループ形成判断部２０５に通知する信号を出力する。
【００６３】
直流ループ形成判断部２０５は、直流ループ形成部２４０から出力された信号を入力し、直流ループ形成部２４０が直流ループを形成したと判断する。
このときの直流ループの状態は、図８に示すように、直流ループが形成された状態となっている。
【００６４】
Ｔ２６：直流ループ形成判断部２０５が直流ループ形成部２４０により直流ループが形成されていると判断すると、通信制御部２０１内の疑似リングバックトーン送出部２０９は、モデム２１０の制御Ｉ／Ｆ２１１およびＩ／Ｆ２１２、絶縁受渡部２２０、並びにシリコンＤＡＡ２３０のＩ／Ｆ２３１を介してリングバックトーン信号を回線に送出する。このように、リングバックトーン信号を回線に送出することにより、相手側に、回線が確立されているにもかかわらず、まだ呼び出し中であることを疑似的に知らせる。
【００６５】
これと同時に、回線制御部１０３は、音声発生部１１１から呼び出し音を発生させる。このように呼び出し音を発生させるのは、ユーザに外付電話機３のフックアップを促すためである。
【００６６】
Ｔ２７：疑似リングバックトーン送出部２０９でリングバックトーン信号を回線に送出し、また音声発生部１１１から呼び出し音を発生している間に、通信制御部２０１内のＣＮＧ検出部２０８は、相手側から回線に送出されたＣＮＧ信号（１１００Ｈｚ）を検出する。ＣＮＧ検出部２０８は、所定のＯＮ時間およびＯＦＦ時間の経過を確認した後、ＣＮＧ信号（１１００Ｈｚ）を検出する。
【００６７】
Ｔ２８：ＣＮＧ検出部２０８がたＣＮＧ信号（１１００Ｈｚ）を検出すると、ＲＬ１制御部２０６は、リレーＲＬ１（２５０）に対してリレーＲＬ１（２５０）を動作させるＯＮ信号を出力する。
【００６８】
Ｔ２９：ＯＮ信号を入力したリレーＲＬ１（２５０）は、リレーを切り替え、直流ループを形成した状態で外付電話機３を回線制御部１０３から切り離す。
【００６９】
外付電話機３を回線制御部１０３から切り離した後、通信端末装置１はＦＡＸ受信動作および印刷動作を行う。
【００７０】
次に、通信端末装置のＦＡＸモードがＴＥＬ／ＦＡＸ自動切換えモード（電話／ファックス待機）であって、音声発生部から呼び出し音を発生している間に、外付電話機がフックアップとなり、通話を行う場合の動作を図９の実施例におけるＴＥＬ／ＦＡＸ自動切換えモードでフックアップ時の動作のタイムチャートの図中Ｔで表すタイミングに従って図２を参照しながら説明する。
【００７１】
Ｔ３１〜Ｔ３６：図７に示すＴ２１〜Ｔ２６と同様なので説明を省略する。
【００７２】
Ｔ３７：疑似リングバックトーン送出部２０９でリングバックトーン信号を回線に送出し、また音声発生部１１１から呼び出し音を発生している間に、通信制御部２０１内のＣＮＧ検出部２０８は、相手側から回線に送出されたＣＮＧ信号（１１００Ｈｚ）を検出する。
【００７３】
このとき、ユーザは外付電話機３をフックアップするものとし、外付電話フックアップ検出部２８０は、外付電話機３のフックアップを検出し、通信制御部２０１内の外付電話フックアップ判断部２０７に信号を出力する。
【００７４】
Ｔ３８：外付電話フックアップ判断部２０７は、外付電話フックアップ検出部２８０から出力された信号を所定時間監視し、外付電話機３がフックアップされたか否かを判断し、フックアップされたと判断する。
【００７５】
Ｔ３９：外付電話フックアップ判断部２０７がフックアップされたと判断すると、疑似リングバックトーン送出部２０９は、リングバックトーン信号の回線への送出を停止し、また音声発生部１１１は、呼び出し音の発生を停止する。さらに、直流ループ形成指示部２０４は、モデム２１０の制御Ｉ／Ｆ２１１およびＩ／Ｆ２１２、絶縁受渡部２２０、並びにシリコンＤＡＡ２３０のＩ／Ｆ２３１を介して直流ループ形成部２４０に直流ループの形成の停止を指示する信号を出力する。
【００７６】
Ｔ４０：直流ループの形成の停止を指示する信号を入力した直流ループ形成部２４０は、直流ループの形成を停止する。
【００７７】
Ｔ４１：直流ループ形成部２４０は、直流ループの形成を停止すると、シリコンＤＡＡ２３０のＩ／Ｆ２３１、絶縁受渡部２２０、並びにモデム２１０の制御Ｉ／Ｆ２１１およびＩ／Ｆ２１２を介して直流ループの形成を停止した旨を通信制御部２０１内の直流ループ形成判断部２０５に通知する信号を出力する。
【００７８】
直流ループ形成判断部２０５は、直流ループ形成部２４０から出力された信号を入力し、直流ループ形成部２４０が直流ループの形成を停止したと判断する。
以降、外付電話機３をフックアップしたユーザは、外付電話機３で相手との通話を行う。
【００７９】
このように、本実施例では、通信端末装置１は、外付電話機３が接続されている状態において、ＦＡＸモードが自動受信モードであって、ファクシミリの受信を待機しているとき、外付電話フックアップ判断部２０７で外付電話機３がフックアップされたことを検知してＦＡＸモードを自動受信モードからＴＥＬ／ＦＡＸ自動切換えモードに設定を変更するようにしたことにより、装置の設定の変更を確実に行うことができる。
【００８０】
また、ＴＥＬ／ＦＡＸ自動切換えモードに設定を変更した後は、受信した電話に応答が可能になる。
【００８１】
なお、本実施例では、外付電話フックアップ判断部２０７が外付電話機３のフックアップがされたと判断すると、必ずスキャナ部１０４の表示部１１０に、ユーザに対してＦＡＸモードをＴＥＬ／ＦＡＸ自動切換えモードに切り替えるか否かを選択させる表示を行うにしたが、表示部１１０にＦＡＸモードの切り替えの表示を行うか否かの設定をＦＡＸモード設定部２０２で行い、切り替えの表示を行う設定になっている場合に表示部１１０にＦＡＸモードの切り替えの表示を行い、ＦＡＸモードの切り替え操作を操作部１０９で受付けるようにしても良い。
【００８２】
以上説明したように、本実施例では、通信端末装置は、外付電話機が接続されている状態において、ＦＡＸモードが自動受信モードであって、ファクシミリの受信を待機しているとき、外付電話機がフックアップされたことを検知してＦＡＸモードを自動受信モードからＴＥＬ／ＦＡＸ自動切換えモードに設定を変更するようにしたことにより、装置の設定の変更を確実に行うことができるという効果が得られる。
【００８３】
なお、本実施例では、通信端末装置をファクシミリ装置として説明したが、それに限られるものでなく、複合機（ＭＦＰ）、またはネットワークを介してスキャナとプリンタを接続した複合システムとしても良い。
【符号の説明】
【００８４】
１    通信端末装置
２    回線網
３    外付電話機
１０３  回線制御部
１０４  スキャナ部
１０５  印刷部
１０７  回線端子
１０８  電話端子
１０９  操作部
１１０  表示部
１１１  音声発生部
２０１  通信制御部
２０２  ＦＡＸモード設定部
２０３  リング検出判断部
２０４  直流ループ形成指示部
２０５  直流ループ形成判断部
２０６  ＲＬ１制御部
２０７  外付電話フックアップ判断部
２０８  ＣＮＧ検出部
２０９  疑似リングバックトーン送出部
２１０  モデム
２３０  シリコンＤＡＡ
２３２  リング検出部
２４０  直流ループ形成部
２８０  外付電話フックアップ検出部
【図１】
2017195508.tif 000003
【図２】
2017195508.tif 000004
【図３】
2017195508.tif 000005
【図４】
2017195508.tif 000006
【図５】
2017195508.tif 000007
【図６】
2017195508.tif 000008
【図７】
2017195508.tif 000009
【図８】
2017195508.tif 000010
【図９】
2017195508.tif 000011